(57)【要約】  高速で、リアルタイムに、高品位な画像を配信可能とする。  ＷＥＢチューナ１ａが、通信回線を介して送信されてきた映像通信信号を受信する受信手段１６と、映像通信信号にもとづき生成された映像信号を所定の装置へ送る送出手段（２０，２１）と、複数のクロックを生成するとともに、映像通信信号から複数のデータ信号を分離し、複数のクロックにもとづき、複数のデータ信号から複数の映像データを生成し、これら複数の映像データを合成して映像信号を得る信号処理手段（２２，２９）を備えた。
2009034608.tif 000002
【特許請求の範囲】
【請求項１】
通信回線を介して送信されてきた映像通信信号を受信信号として出力する受信手段と、前記受信信号にもとづき生成された映像信号を所定の装置へ送る送出手段とを備えたＷＥＢチューナであって、
複数のクロックを生成するとともに、前記受信信号から複数のデータ信号を分離し、前記複数のクロックにもとづき、前記複数のデータ信号から複数の映像データを生成し、これら複数の映像データを合成して前記映像信号を得る信号処理手段を備えた
ことを特徴とするＷＥＢチューナ。
【請求項２】
前記信号処理手段が、
複数のクロックを発生するクロック発生部と、
前記受信信号から複数のデータ信号を分離する信号分離部と、
この信号分離部にて得られた複数のデータ信号のそれぞれに対して、前記複数のクロックのそれぞれにより規定される受信チャネル群のうちの使用する受信チャネルを対応付けるチャネル対応付け部と、
前記複数のクロックに基づいて、前記使用する受信チャネルに対応付けられたデータ信号から伝送信号を分離する信号伝送処理部と、
この信号伝送処理部にて分離された前記伝送信号から映像データを生成する映像信号生成部と、
複数の前記映像データを合成して映像信号を得る映像合成部とを有した
ことを特徴とする請求項１記載のＷＥＢチューナ。
【請求項３】
映像処理装置から送られてきた映像信号を入力する入力手段と、前記映像信号にもとづき生成された映像通信信号を通信回線へ送信する送信手段とを備えたＷＥＢチューナであって、
前記映像信号を複数の映像データに分割し、複数のクロックにもとづき、前記複数の映像データから複数のデータ信号を生成し、これら複数のデータ信号を多重化して映像通信信号を得る信号処理手段を備えた
ことを特徴とするＷＥＢチューナ。
【請求項４】
前記信号処理手段が、
複数のクロックを発生するクロック発生部と、
前記映像信号を分割する映像分割部と、
前記分割された映像信号を映像データとして入力し、前記複数のクロックのそれぞれに基づいて規定される送信チャネル群の中から使用する送信チャネルをそれぞれ設定し、これら設定した送信チャネルに対応付けられた各前記映像データのそれぞれを含む複数のデータ信号を生成するデータ信号生成部と、
このデータ信号生成部にて生成された複数のデータ信号を多重化して送信信号を生成する多重化部とを備え、
前記送信手段が、前記多重化部にて得られた送信信号を映像通信信号として送信する
ことを特徴とする請求項３記載のＷＥＢチューナ。
【請求項５】
通信回線を介して送信されてきた映像通信信号を受信信号として出力する受信手段と、前記受信信号にもとづき生成された映像信号を所定の装置へ送る送出手段と、映像処理装置から送られてきた映像信号を入力する入力手段と、前記映像信号にもとづき生成された映像通信信号を通信回線へ送信する送信手段とを備えたＷＥＢチューナであって、
複数のクロックを生成するとともに、前記受信信号から複数のデータ信号を分離し、前記複数のクロックにもとづき、前記複数のデータ信号から複数の映像データを生成し、これら複数の映像データを合成して前記映像信号を得るとともに、前記映像信号を複数の映像データに分割し、複数のクロックにもとづき、前記複数の映像データから複数のデータ信号を生成し、これら複数のデータ信号を多重化して映像通信信号を得る信号処理手段を備えた
ことを特徴とするＷＥＢチューナ。
【請求項６】
通信回線を介して映像配信装置から送信されてきた映像通信信号を受信し映像信号を出力するＷＥＢチューナと、前記映像信号にもとづく映像を表示する表示装置とを備えた画像伝送システムであって、
前記ＷＥＢチューナが、前記請求項１、２、５のいずれかに記載のＷＥＢチューナからなる
ことを特徴とする画像伝送システム。
【請求項７】
映像を撮影する撮影装置を備え、
前記映像配信装置が、前記撮影装置から送信されてきた撮影映像信号を受信し、この撮影映像信号を前記映像通信信号として、前記通信回線を介しＷＥＢチューナへ送信する
ことを特徴とする請求項６記載の画像伝送システム。
【請求項８】
ユーザを撮影するカメラ装置と、このカメラ装置で取り込まれた撮影画像信号を入力するＷＥＢチューナと、通信回線を介して複数の前記ＷＥＢチューナから前記撮影画像信号を受信し各ＷＥＢチューナへ配信する映像配信装置と、前記ＷＥＢチューナを介して前記撮影画像信号を入力し、この撮影画像信号にもとづく映像を表示する表示装置とを備えた画像伝送システムであって、
前記ＷＥＢチューナが、前記請求項１〜５のいずれかに記載のＷＥＢチューナからなる
ことを特徴とする画像伝送システム。
【請求項９】
通信回線を介して送信されてきた映像通信信号を受信信号として受信し、この受信信号にもとづき映像信号を生成して所定の装置へ送る画像伝送方法であって、
複数のクロックを生成するとともに、前記受信信号から複数のデータ信号を分離し、前記複数のクロックにもとづき、前記複数のデータ信号から複数の映像データを生成し、これら複数の映像データを合成して前記映像信号を得る
ことを特徴とする画像伝送方法。
【請求項１０】
映像処理装置から送られてきた映像信号を入力し、この映像信号にもとづき生成された映像通信信号を通信回線へ送信する画像伝送方法であって、
前記映像信号を複数の映像データに分割し、複数のクロックにもとづき、前記複数の映像データから複数のデータ信号を生成し、これら複数のデータ信号を多重化して映像通信信号を得る
ことを特徴とする画像伝送方法。
【発明の詳細な説明】
【技術分野】
【０００１】
本発明は、映像信号を送受信するＷＥＢチューナ、このＷＥＢチューナを用いた画像伝送システム、及び、このＷＥＢチューナにおける画像伝送方法に関し、特に、高画質の映像をライブ配信するＷＥＢチューナ、画像伝送システム及び画像伝送方法に関する。
【背景技術】
【０００２】
現在、我が国を含む世界の主要国で視聴できる放送には、テレビ放送、衛星放送、ケーブルテレビ、ＩＰ放送などがある。また、テレビ放送には、アナログ放送とデジタル放送がある。こうした種々の放送を視聴可能な国において、視聴者は、放送事業者が異なる様々な番組の中から好きな番組を選んで視聴することができる。
ところが、配信形態や放送事業者などが異なると、アンテナやチューナ等をそれぞれ個別に備える必要がある。このことは、視聴者からすれば、非常に煩わしいことであり、コスト面でも問題があった。
そこで、一台の装置で、それら配信形態等の異なる放送サービスのいずれも受けられるようにしたのがセットトップボックス（セットアップボックス）である。【０００３】
セットトップボックスは、一般にホームターミナルと呼ばれる装置の一種であって、各種放送の放送信号を受信し、これを一般のテレビで視聴可能な信号に変換する装置をいう。
このセットトップボックスは、本来の機能として、ケーブルテレビ・デジタル放送・ＩＰ放送等の復調、デコードないしスクランブル解除、ＩＣカード等による限定受信制御・コピー制御機能、ＶＯＤ等での動画配信の受信・一時的蓄積、各種放送等に伴うユーザサービス機能（留守録設定等）など、様々な機能を備えている。【０００４】
ところで、このセットトップボックスに関する改良技術が提案されている。
例えば、他の技術としては、例えば、ビデオ信号及びオーディオ信号を復調する復調装置と、要求信号の送信を制御する制御装置と、ＩＳＤＮ（サービス総合デジタル網）とのインタフェース（Ｓ０）とを備えたセットトップボックスであって、その制御装置が、要求信号のプロトコルをパケットデータプロトコルに変換するためのプロトコル変換装置と、インタフェース（Ｓ０）を介して、ＩＳＤＮの信号チャネルを用いて要求信号をパケット交換モードで送信するための手段とを備えたものがある（例えば、特許文献１参照。）。
このような技術によれば、加入者がサーバに要求信号を送信できる。そして、ユーザ情報チャンネルを一本しか利用できない加入者が双方向サービスと電話サービスとを同時に利用できる。【０００５】
また、セットトップボックスにＰＣとの通信のためのＰＣインタフェース装置を備え、セットトップボックスの制御装置がネットワークから送られるデータのうち予め指定されたＳＬＩＰ用ＶＣセルを解釈した後、ＳＬＩＰヘッダを付けてＰＣインタフェースに送り出し、一方、ＰＣから伝送されるデータは、ＳＬＩＰ関連ヘッダを外した後、ネットワークへ伝送するものがある（例えば、特許文献１参照。）。
このような構成によれば、ＦＴＴＣなどのＤ−ＣＡＴＶサービス用及びＶＯＤ用ネットワークでセットトップボックスとＰＣを用いて一般的な音声通話用の電話線をそのまま音声通話に使用し、Ｄ−ＣＡＴＶサービスのみならず別途のモデム無しでも高速な伝送速度でＰＣ通信及びインタフェースサービスを可能にする。【０００６】
さらに、他の技術としては、例えば、インタネットセットトップボックスを用いてテレビチャンネル情報を示すウェブサイトに接続した後、そのウェブサイトから提供されるテレビチャンネル等の放送情報とテレビ及び他のセットトップボックスの実際チャンネルを連動させるものがある（例えば、特許文献２参照。）。
この技術によれば、ウェブ画面で放送チャンネルに対する情報を見ている途中に所望の放送を選択して各機器の所望のチャンネルに容易に連動して移動できるようになる。このため、より便利に各種放送を視聴できる。
【特許文献１】特表平１１−５０１１８４号公報
【特許文献２】特開平１１−０２７５９７号公報
【特許文献３】特開２００１−１０３３８２号公報
【発明の開示】
【発明が解決しようとする課題】
【０００７】
しかしながら、上記の特許文献１においては、ネットワークに接続可能なセットトップボックスを開示しているものの、これらはオンデマンド方式を対象としており、リアルタイム放送に対応することは難しかった。
つまり、上記特許文献に開示のセットトップボックスは、画像のレンタル配信に対応するためにオンデマンド方式を採用していた。このため、リアル画像でのライブ配信には対応しておらず、仮にライブ配信を行ったとしても、現行のパソコンでの画像速度とほとんど変わらない遅いものとなっていた。
また、上記の特許文献２、３に開示の技術は、映像データを通信可能としているものの、通信速度がまだまだ遅いという問題があった。【０００８】
本発明は、上記の事情にかんがみなされたものであり、高速で、リアルタイムに、高品位な画像を配信可能とするＷＥＢチューナ、画像伝送システム及び画像伝送方法の提供を目的とする。
なお、本発明のＷＥＢチューナは、上記特許文献に開示のセットトップボックスが有するオンデマンド配信機能だけでなく、リアル画像でのライブ配信機能を有するものである。このように、搭載される機能を大幅に拡張していることから、セットトップボックスではなく、ＷＥＢチューナとの名称で、以降説明する。
【課題を解決するための手段】
【０００９】
この目的を達成するため、本発明のＷＥＢチューナは、通信回線を介して送信されてきた映像通信信号を受信信号として出力する受信手段と、受信信号にもとづき生成された映像信号を所定の装置へ送る送出手段とを備えたＷＥＢチューナであって、複数のクロックを生成するとともに、受信信号から複数のデータ信号を分離し、複数のクロックにもとづき、複数のデータ信号から複数の映像データを生成し、これら複数の映像データを合成して映像信号を得る信号処理手段を備えた構成としてある。【００１０】
また、本発明の画像伝送システムは、通信回線を介して映像配信装置から送信されてきた映像通信信号を受信し映像信号を出力するＷＥＢチューナと、映像信号にもとづく映像を表示する表示装置とを備えた画像伝送システムであって、ＷＥＢチューナが、請求項１、２、５のいずれかに記載のＷＥＢチューナからなる構成としてある。【００１１】
また、本発明の画像伝送方法は、通信回線を介して送信されてきた映像通信信号を受信信号として受信し、この受信信号にもとづき映像信号を生成して所定の装置へ送る画像伝送方法であって、複数のクロックを生成するとともに、受信信号から複数のデータ信号を分離し、複数のクロックにもとづき、複数のデータ信号から複数の映像データを生成し、これら複数の映像データを合成して映像信号を得る方法としてある。
【発明の効果】
【００１２】
以上のように、本発明によれば、映像信号を分割し、この分割後の映像データをそれぞれ複数のクロックにもとづいて多重化通信することができる。これにより、映像の高速通信を実現でき、リアル画像でのライブ配信が可能となる。
【図面の簡単な説明】
【００１３】
【図１】本発明の第一実施形態におけるＷＥＢチューナの構成を示すブロック図である。
【図２】画像伝送システムＡ１の構成を示す図である。
【図３】画像伝送システムＡ２の構成を示す図である。
【図４】画像伝送システムＡ３の構成を示す図である。
【図５】分割、合成を行ったときの画像及び映像信号の状態を示す図である。
【図６】受信波及び送信波における各クロックに対応した周波数を示す図である。
【図７】送信側のＷＥＢチューナと受信側のＷＥＢチューナでクロックが異なる場合のシステム構成を示す図である。
【図８】映像信号を複数の映像データに分割した状態を示す図である。
【図９】複数の映像データの送信状態を示す図である。
【図１０】送信される分割映像データのデータ伝送幅を示す図である。
【図１１】映像データの合成を示す図である。
【図１２】圧縮された映像データを送信する状態を示す図である。
【図１３】圧縮映像データの解凍を示す図である。
【図１４】画像伝送システムＡ４の構成を示す図である。
【図１５】本発明の第二実施形態におけるＷＥＢチューナの構成を示すブロック図である。
【図１６】被写体におけるコーナーセグメントと、これらに割り当てられる撮像装置を示す図である。
【図１７】ＷＥＢチューナの他の構成を示すブロック図である。
【符号の説明】
【００１４】
１ａ、１ｂ、１ｃ  ＷＥＢチューナ
１１  水晶発振器群
１２  クロック制御部
２２  データ制御部
２９  通信制御部
３０ａ〜３０ｄ  撮像装置
３  大型モニタ
４  映像配信装置（ＩＰ放送局）
５  ニュースカメラ
６  テレビ会議ユーザシステム
７  テレビ会議管理装置
【発明を実施するための最良の形態】
【００１５】
以下、本発明に係るＷＥＢチューナ、画像伝送システム及び画像伝送方法の好ましい実施形態について、図面を参照して説明する。【００１６】
［第一実施形態］
（１）ＷＥＢチューナ
まず、本発明のＷＥＢチューナの第一実施形態について、図１を参照して説明する。
同図は、本実施形態のＷＥＢチューナの構成を示すブロック図である。【００１７】
同図に示すように、ＷＥＢチューナ１ａは、水晶発振器群１１と、クロック制御部１２と、送信部１３と、無線ＬＡＮ送受信機１４と、有線ＬＡＮ送受信コネクタ１５と、受信部１６と、映像信号入出力部１７と、ＨＤＭＩ高画質端子１８と、操作・表示部１９と、無線ＵＳＢ送受信機２０と、有線ＵＳＢ送受信コネクタ２１と、データ制御部２２と、有線ＵＳＢ音声系端子コネクタ２３と、音声入力端子２４と、音声出力端子２５と、アナログ音声制御部２６と、ＩＰ音声復調部２７と、音声合成分離部２８と、通信制御部２９とを有している。【００１８】
ここで、水晶発振器群１１は、４つの水晶発振器１１Ａ、１１Ｂ、１１Ｃ、１１Ｄを有している。これらは、それぞれ独自のクロックを生成し、クロック制御部１２に供給する。
なお、本実施形態においては、水晶発振器を４つ有しているが、４つに限るものではなく、２つ、３つ、又は５つ以上有することもできる。【００１９】
クロック制御部１２は、所定のタイミングにてクロックＡ（水晶発振器１１Ａからのクロックに対応）、クロックＢ（水晶発振器１１Ｂからのクロックに対応）、クロックＣ（水晶発振器１１Ｃからのクロックに対応）及びクロックＤ（水晶発振器１１Ｄからのクロックに対応）の４つの基準クロックを通信制御部２９に供給する。
なお、本実施形態においては、水晶発振器群１１とクロック制御部１２とを総称して「クロック発生部」という。【００２０】
送信部（送信手段）１３は、通信制御部２９からの多重化送信信号に対する所定の変調処理を行ない、その変調処理後の多重化送信信号を送出する。変調処理された多重化信号は、無線ＬＡＮ送受信機１４や、有線ＬＡＮ送受信コネクタ１５を介して、ＬＡＮに接続された装置へ送信される。【００２１】
無線ＬＡＮ送受信機１４は、無線通信により、無線ＬＡＮを構成する他の装置との間でデータを送受信する装置である。
無線ＬＡＮには、ＩＥＥＥ８０２．１１諸規格に準拠した機器で構成されるネットワークを含む。
そして、本実施形態のＷＥＢチューナ１ａは、無線ＬＡＮの端末に位置する。【００２２】
無線ＬＡＮ送受信機１４の具体例としては、例えば、無線ＬＡＮカード（無線ＬＡＮアダプタ）などが挙げられる。
無線ＬＡＮカードとは、ＷＥＢチューナ１ａのＵＳＢポート（図示せず）などに差し込んで無線ＬＡＮに接続する機能を提供する拡張カードをいう。また、無線ＬＡＮカードには、有線ＬＡＮインタフェースしか持たないＷＥＢチューナ１ａの通信を無線化するメディアコンバータ製品などを含む。
なお、無線ＬＡＮ送受信機１４は、例えば、通信モデム（無線ＬＡＮモデム，ＡＤＳＬ及び光モデム）として設けることができる。【００２３】
有線ＬＡＮ送受信コネクタ１５は、外部端子として、ＬＡＮ用のケーブルが接続されるコネクタ（受け側端子）である。ＬＡＮ用のケーブルには、例えば、より対線、同軸ケーブル、光ファイバーなどがある。このＬＡＮ用ケーブルの一方のコネクタ（差込端子）は、この有線ＬＡＮ送受信コネクタ１５（受け側端子）に接続され、他方のコネクタ（差込端子）は、ハブ、あるいは、同じ建物の中にあるコンピュータやプリンタなどと接続され、これらの間でデータのやりとりを行う。【００２４】
受信部（受信手段）１６は、無線ＬＡＮ送受信機１４，有線ＬＡＮ送受信コネクタ１５，または混合器（図示せず）からの映像通信信号を受信信号として通信制御部２９へ送る。
映像信号入出力部１７は、ＨＤＭＩ高画質端子１８を介して入力された映像信号をデータ制御部２２へ送る。また、映像信号入出力部１７は、データ制御部２２で生成された映像信号を、ＨＤＭＩ高画質端子１８を介して外部装置へ送る。【００２５】
ＨＤＭＩ高画質端子１８は、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）を用いて映像信号や音声データの送受信を行う端子である。
ＨＤＭＩとは、主に家電やＡＶ機器向けのデジタル映像・音声入出力インタフェース規格をいう。１本のケーブルで映像・音声・制御信号を合わせて送受信するので、取り回しが容易になっている。オプションで制御信号を双方向に伝送させることができ、機器間を中継させることで１台のリモコンから複数のＡＶ機器を制御できるようになっている。
このＨＤＭＩ端子１８には、図２に示すように、例えば、大型モニタ（表示装置）３などを接続することができる（画像伝送システムＡ１）。【００２６】
操作・表示部１９は、複数のキー又はスイッチと液晶表示装置とを有している。
この操作・表示部１９は、リモコンとして、ＷＥＢチューナ１ａの本体から分離独立した構成とすることもできる。この場合、ＷＥＢチューナ１ａの本体とリモコンのそれぞれに、信号の送受信手段が設けられる。【００２７】
無線ＵＳＢ送受信機２０は、無線ＵＳＢ通信が可能な機器や装置（映像処理装置）との間で、データ（映像信号）を送受信する。
無線ＵＳＢ（Ｗｉｒｅｌｅｓｓ  ＵＳＢ（Ｕｎｉｖｅｒｓａｌ  Ｓｅｒｉａｌ  Ｂｕｓ））とは、超広帯域を用いる無線技術であるＵＷＢ（Ｕｌｔｒａ  Ｗｉｄｅ  Ｂａｎｄ）を応用し、また、物理層やＭＡＣ層にはＭＢ−ＯＦＤＭ方式を採用して、ＵＳＢを拡張した技術・規格をいう。
映像処理装置は、映像に関する機能（例えば、撮像（撮影）、記録、加工（編集，分割，合成等）、表示、外部入出力（送信・受信）などの機能）を一又は二以上有した装置であって、例えば、パーソナルコンピュータ、デジタルカメラ、デジタルビデオ、ディスクプレーヤ・レコーダ（ＣＤ、ＭＤ、ＤＶＤ等）、ビデオデッキ、携帯電話、ＰＨＳ、ＰＤＡなどが含まれる。
また、無線ＵＳＢ送受信機２０には、図３に示すように、ニュースカメラ（撮影装置）５を接続することができる（画像伝送システムＡ２）。さらに、無線ＵＳＢ送受信機２０には、図４に示すように、テレビ会議システムＡ３を構成するテレビ会議ユーザシステム６のユーザ側管理装置６１を接続することもできる（画像伝送システムＡ３）。【００２８】
有線ＵＳＢ送受信コネクタ２１は、外部端子として、ＵＳＢ用ケーブルが接続されて、映像処理装置との間で映像信号の送受信を行う。
ＵＳＢ用ケーブルの規格としては、例えば、Ｈｉｇｈ／Ｆｕｌｌ  Ｓｐｅｅｄ用と、Ｌｏｗ  Ｓｐｅｅｄ用がある。また、ＵＳＢ用ケーブルの両端は、Ａ端子，Ｂ端子，ミニＵＳＢ端子などが用いられる。
なお、本実施形態において、ＨＤＭＩ高画質端子１８，無線ＵＳＢ送受信機２０，有線ＵＳＢ送受信コネクタ２１は、映像信号を所定の装置（映像処理装置など）へ送ることから「送出手段」としての機能を有している。
また、本実施形態において、ＨＤＭＩ高画質端子１８，無線ＵＳＢ送受信機２０，有線ＵＳＢ送受信コネクタ２１は、所定の装置（映像処理装置など）から映像信号を入力することから「入力手段」としての機能を有している。【００２９】
データ制御部２２は、図１に示すように、映像記憶部２２１と、映像分割部２２２と、形式変換部２２３と、映像信号生成部２２４と、映像合成部２２５と、操作・表示制御部２２６とを有している。
映像記憶部２２１は、映像信号入出力部１７，無線ＵＳＢ送受信機２０，有線ＵＳＢ送受信コネクタ２１から送られてきた映像信号、映像分割部２２２で分割処理された映像信号（映像データ）、通信制御部２９の信号伝送処理部２９４から送られてきた伝送信号（映像信号）、映像信号生成部２２４で生成された映像データ、映像合成部２２５で合成された映像信号などを記憶する。また、それらの他、音声信号やテキストデータなどを記憶することもできる。【００３０】
映像分割部２２２は、映像信号入出力部１７，無線ＵＳＢ送受信機２０，有線ＵＳＢ送受信コネクタ２１から送られてきた映像信号（あるいは、映像記憶部２２１から取り出した映像信号）を分割する（図５（ａ），（ｂ）参照）。映像信号を分割する技術としては、従来公知の任意好適な技術を用いることができる。分割数は特に限定されず、任意の数とすることができる。ただし、クロック発生手段（クロック制御部２１及び水晶発振器１１Ａ〜１１Ｄ）から発生するクロックの数と同数又はそれよりも少ない数となる。この映像分割部２２２で分割された映像信号のそれぞれ（映像データ）は、映像記憶部２２１へ送られて記憶される。
形式変換部２２３は、分割処理後の映像データを所定の形式に変換する。この変換された映像データは、通信制御部２９の信号伝送処理部２９４へ送られる。【００３１】
映像信号生成部２２４は、信号伝送処理部２９４から送られてきた伝送信号から映像データを生成する。
映像合成部２２５は、映像信号生成部２２４で生成された複数の映像データを合成する（図５（ｂ），（ｃ）参照）。この合成された映像データ（映像信号）は、映像記憶部２２１へ送られて記憶される。
操作・表示制御部２２６は、映像記憶部２２１から映像信号を取り出し、操作・表示部１９へ送って画面表示させる。また、操作・表示部１９での操作内容にもとづいて、ＷＥＢチューナ１ａの他の構成要素に所定の動作を実行させる。【００３２】
なお、データ制御部２２は、マイクロフォン（図示せず）からのユーザの発声音に対応した音声信号や、データ入出力マルチコネクタ（図示せず）を介するなどして外部から供給されたデータ信号（例えば、画像、文字等を表す）を通信制御部２９に供給することができる。
また、データ制御部２２は、通信制御部２９から供給されてきた伝送信号に対する処理を行なう。例えば、通信制御部２９から供給されてきた伝送信号が音声に係るものであれば、その伝送信号が音声信号に変換され、その音声信号がスピーカ（図示せず）に供給される。さらに、その伝送信号がデータ（例えば、画像、文字等を表す）に係るものであれば、その伝送信号がデータ信号に変換され、あるいは、伝送信号としてそのまま操作・表示部１９又は外部へ供給される。【００３３】
有線ＵＳＢ音声系端子コネクタ２３は、ＵＳＢ用ケーブルを介して音声系ネットワークと接続される端子であって、音声系ネットワークから送信されてきた音声信号をＩＰ音声復調部２７へ送る。また、有線ＵＳＢ音声系端子コネクタ２３は、ＩＰ音声復調部２７からの音声信号を、ＵＳＢ用ケーブルを介して、音声系ネットワークに接続された装置へ送信する。
音声系ネットワークとは、例えば、ＶｏＩＰ（Ｖｏｉｃｅ  ｏｖｅｒ  Ｉｎｔｅｒｎｅｔ  Ｐｒｏｔｏｃｏｌ）を用いて、音声を各種符号化方式で圧縮し、パケットに変換した上でリアルタイム伝送する、ＩＰ（Ｉｎｔｅｒｎｅｔ  Ｐｒｏｔｏｃｏｌ）ネットワークをいう。【００３４】
音声入力端子２４は、外部から音声信号を入力してアナログ音声制御部２６へ送る。
音声出力端子２５は、アナログ音声制御部２６からの音声信号を外部へ出力する。
アナログ音声制御部２６は、音声入力端子２４からの音声信号を所定の音声信号に変換してＩＰ音声復調部２７へ送る。また、アナログ音声制御部２６は、ＩＰ音声復調部２７からの音声信号を所定の音声信号に変換し、音声出力端子２５から外部へ出力する。【００３５】
ＩＰ音声復調部２７は、有線ＵＳＢ音声系端子コネクタ２３から送られてきた音声信号を復調する。そして、この復調した音声信号、及び、アナログ音声制御部２６から送られてきた音声信号を、音声合成分離部２８へ送る。
また、ＩＰ音声復調部２７は、音声合成分離部２８から送られてきた音声信号を、有線ＵＳＢ音声系端子コネクタ２３又はアナログ音声制御部２６へ送り、外部出力させる。
音声合成分離部２８は、データ制御部２２から通信制御部２９へ送られる信号に、ＩＰ音声復調部２７から送られてきた音声信号を合成する。また、音声合成分離部２８は、通信制御部２９からデータ制御部２２へ送られる信号から音声信号を分離し、ＩＰ音声復調部２７へ送る。【００３６】
通信制御部２９は、クロック制御部１２からの４つのクロック（クロックＡ、クロックＢ、クロックＣ、クロックＤ）のそれぞれに基づいて規定される所定周波数間隔（例えば、１５KHz〜２５KHz）のチャネルのいずれかを使用すべきチャネルとして設定する。
即ち、図６に示すように、受信波（例えば８１０MHz 帯）については、以下のように設定される。クロックＡにより規定される受信チャネル群ＣＨRX（Ａ）から、実際に使用されるべき受信チャネルＣＨRX（Ａn）が設定される。クロックＢにより規定される受信チャネル群ＣＨRX（Ｂ）から、実際に使用されるべき受信チャネルＣＨRX（Ｂn）が設定される。クロックＣにより規定される受信チャネル群ＣＨRX（Ｃ）から、実際に使用されるべき受信チャネルＣＨRX（Ｃn）が設定される。クロックＤにより規定される受信チャネル群ＣＨRX（Ｄ）から、実際に使用されるべき受信チャネルＣＨRX（Ｄn）が設定される。
また、送信波（例えば９４０MHz 帯）については、以下のように設定される。クロックＡにより規定される送信チャネル群ＣＨTX（Ａ）から、実際に使用されるべき送信チャネルＣＨTX（Ａn）が設定される。クロックＢにより規定される送信チャネル群ＣＨTX（Ｂ）から、実際に使用されるべき送信チャネルＣＨTX（Ｂn）が設定される。クロックＣにより規定される送信チャネル群ＣＨTX（Ｃ）から、実際に使用されるべき送信チャネルＣＨTX（Ｃn）が設定される。クロックＤにより規定される送信チャネル群ＣＨTX（Ｄ）から、実際に使用されるべき送信チャネルＣＨTX（Ｄn）が設定される。【００３７】
この通信制御部２９は、図１に示すように、データ分離／多重化部２９１と、システムロジック２９２と、データマトリックス２９３と、信号伝送処理部２９４とを有している。
データ分離／多重化部（信号分離部）２９１は、受信部１６からの受信信号から４つのデータ信号を分離させる。
システムロジック２９２は、データ分離／多重化部２９１からの４つのデータ信号のそれぞれの歪みを補正してデータマトリックス２９３に供給する。
データマトリックス（チャネル対応付け部）２９３は、４つのデータ信号のそれぞれに対して、クロックＡ、クロックＢ、クロックＣ及びクロックＤのそれぞれにより規定される受信チャネル群ＣＨRX（Ａ）、ＣＨRX（Ｂ）、ＣＨRX（Ｃ）、ＣＨRX（Ｄ）のうちの使用する受信チャネルＣＨRX（Ａn）、ＣＨRX（Ｂn）、ＣＨRX（Ｃn）、ＣＨRX（Ｄn）を対応付ける（受信チャネルの設定）。【００３８】
信号伝送処理部２９４は、受信チャネルＣＨRX（Ａn）、ＣＨRX（Ｂn）、ＣＨRX（Ｃn）、ＣＨRX（Ｄn）のそれぞれに対応付けられたデータ信号から、クロック制御部１２からのクロックＡ、クロックＢ、クロックＣ及びクロックＤに基づいて、伝送信号（映像データ）を分離し、その伝送信号をデータ制御部２２に供給する。
また、信号伝送処理部（データ信号生成部）２９４は、データ制御部２２からの送信すべき映像データを入力し、クロック制御部１２からのクロックＡ、クロックＢ、クロックＣ及びクロックＤに基づいて、４つの伝送信号を含むデータ信号を生成する（図５（ａ），（ｂ））。この生成されたデータ信号は、データマトリックス２９３へ送られる。【００３９】
データマトリックス２９３は、信号伝送処理部２９４からのデータ信号のそれぞれに対してクロックＡ、クロックＢ、クロックＣ及びクロックＤのそれぞれにより規定される送信チャネル群ＣＨTX（Ａ）、ＣＨTX（Ｂ）、ＣＨTX（Ｃ）、ＣＨTX（Ｄ）のうちの使用する送信チャネルＣＨTX（Ａn）、ＣＨTX（Ｂn）、ＣＨTX（Ｃn）、ＣＨTX（Ｄn）を対応付ける（送信チャネルの設定）。
システムロジック２９２は、データマトリックス２９３により送信チャネルＣＨTX（Ａn）、ＣＨTX（Ｂn）、ＣＨTX（Ｃn）、ＣＨTX（Ｄn）の対応付けのなされた各データ信号に対して波形調整等の処理を行ない、その各データ信号をデータ分離／多重化部２９１に供給する。【００４０】
データ分離／多重化部（多重化部）２９１は、供給された各データ信号を多重化し送信信号を生成して、送信部１３に供給する。このため、データ分離／多重化部２９１で生成される送信信号は、データマトリックス２９３により送信チャネルＣＨTX（Ａｎ）、ＣＨTX（Ｂｎ）、ＣＨTX（Ｃｎ）、ＣＨTX（Ｄｎ）の対応付けのなされた各データ信号が４つ複合（あるいは、４つ混合）されたものである。
このデータ分離／多重化部２９１においては、従来よりもゲートの数がプラス（増設）されている。従来のＷＥＢチューナは、水晶発振器１１が一つのみ設けられており、かつＡバンドのみであった。これに対し、本発明のＷＥＢチューナ１ａは、水晶発振器１１が複数（本実施形態においては、４つ）設けられており、かつ複数のバンド（本実施形態においては、Ａバンド〜Ｄバンド（４系統））を使用することとしている。
なお、本実施形態においては、水晶発振器群１１，クロック制御部１２，データ制御部２２，音声合成分離部２８，通信制御部２９を少なくとも含む各構成要素を総称して「信号処理手段」という。【００４１】
ここで、クロック、チャンネル、データの関係について、さらに説明する。
本実施形態のＷＥＢチューナ１ａは、水晶発振器１１を複数備えている。これにより、クロックを複数発生させることができる。
一つのクロックは、一つの周波数間隔（周波数帯）を規定する。このため、複数のクロックにより、複数の周波数帯を規定することができる。ただし、本実施形態では、複数のクロックが同一の周波数帯を規定している。
一つの周波数帯には、複数のチャネルが存在する（チャネル群）。そして、それらチャネル群の中から設定された一つのチャネルによりデータが送受信される。
ここで、本実施形態では、複数のクロックが同一の周波数帯を規定しているため、この一つの周波数帯における複数のチャネルにより複数のデータを送受信できる。すなわち、一つの周波数帯（キャリア幅）の中に、複数のクロックにもとづく複数のデータ信号を載せて（多重化して）送受信することができる。
このような構成により、本実施形態のＷＥＢチューナは、より簡単な構成で情報の伝送効率をさらに向上させることができ、しかも映像の高速通信を可能とするとの効果を奏する。【００４２】
ＷＥＢチューナをこのような構成とすることにより、映像信号を分割し、この分割後の映像データをそれぞれ４つのクロックＡ、Ｂ、Ｃ、Ｄにて規定されるチャネル群（送信チャネル群、受信チャネル群）から設定された使用するチャネル（送信チャネル、受信チャネル）を用いて同時に送受信できるようになる。４つのクロックにて規定されるチャネル群を利用することから、単一のクロックにて規定されるチャネル群に設定されるチャネルにて信号の送信を行なう従来のＷＥＢチューナに比べてより多くの情報を同時に送受信できるようになる。このため、映像についても多重化通信が可能となるため、映像の高速通信を実現できる。【００４３】
なお、映像の送信側が本発明のＷＥＢチューナであって受信側が従来のＷＥＢチューナ（セットトップボックス）である場合、受信側は、自己の有するクロック（例えば、クロックＡ）と同じクロックに基づいて規定される送信チャネル群のうちの使用する送信チャネルに対応付けられた伝送信号を含む送信信号しか受信することができない。具体的には、例えば、図７に示すように、受信側（ＷＥＢチューナ１００−Ｘ）がクロックＡを有する場合において、送信側（ＷＥＢチューナ１ａ−１，１ａ−２，１ａ−３）からはクロックＢ，クロックＣ，クロックＤのそれぞれに基づいて規定される送信チャネル群のうちの使用する送信チャネルに対応付けられた複数の伝送信号を含む送信信号が送信されてきたときは、受信側はそれら送信されてきた送信信号を受信することができないことになる。【００４４】
このように、本発明のＷＥＢチューナと従来のＷＥＢチューナとが混在して使用される場合は、図７に示すように、送信されてきた信号を従来のＷＥＢチューナの有するクロックに変換する変換装置２１０を放送局２００などに設けることができる。
より具体的には、例えば、Ａデータチャネルからオーバーフローした映像信号がＢデータチャネルで送信されてきた場合、放送局２００では、ＢデータにＡクロックを混合してＡデータ＋Ａクロックとするようなクロック変更が行われる。
このような構成とすれば、送信側からの送信信号がクロックＢ，クロックＣ，クロックＤのそれぞれに基づいて規定される送信チャネル群のうちの使用する送信チャネルに対応付けられた複数の伝送信号を含むものであっても、受信側はその送信信号を受信することができる。【００４５】
（２）画像伝送方法
次に、本実施形態のＷＥＢチューナの動作（画像伝送方法）について、図８〜図１３を参照して説明する。【００４６】
（２−１）送信処理
例えば、映像処理装置（例えば、ニュースカメラ５）などにより映像が取り込まれると、これが映像信号として、ＷＥＢチューナ１ａの無線ＵＳＢ送受信機２０（又は、有線ＵＳＢ送受信コネクタ２１）にて入力され、データ制御部２２へ送られる。このときの映像の一面（全画像）を図８（ａ）に示す。この映像信号が、データ制御部２２の映像記憶部２２１に記憶される。【００４７】
次いで、同図（ｂ）に示すように、その映像信号が映像分割部２２２で分割されて複数（本実施形態においては、４つ）の映像データとされ、映像記憶部２２１に記憶される。
この分割された映像データが、形式変換部２２３で所定の形式に変換され、通信制御部２９の信号伝送処理部２９４へ送られる。
なお、ここで、ＩＰ音声復調部２７に音声信号が入力されているときは、音声合成分離部２８で、映像データに音声信号が合成される。【００４８】
信号伝送処理部２９４で、クロック制御部１２からの４つのクロック（クロックＡ〜Ｄ）のそれぞれに基づいて規定される所定周波数間隔（例えば、１５KHz〜２５KHz）のチャネルのいずれかを使用すべきチャネルとして設定する。例えば、送信波（例えば９４０MHz帯）については、クロックＡにより規定される送信チャネル群ＣＨTX（Ａ）から、実際に使用されるべき送信チャネルＣＨTX（Ａn）が設定される。また、クロックＢにより規定される送信チャネル群ＣＨTX（Ｂ）から、実際に使用されるべき送信チャネルＣＨTX（Ｂn）が設定される。さらに、クロックＣにより規定される送信チャネル群ＣＨTX（Ｃ）から、実際に使用されるべき送信チャネルＣＨTX（Ｃn）が設定される。また、クロックＤにより規定される送信チャネル群ＣＨTX（Ｄ）から、実際に使用されるべき送信チャネルＣＨTX（Ｄn）が設定される。
また、受信波（例えば８１０MHz帯）については、クロックＡにより規定される受信チャネル群ＣＨRX（Ａ）から、実際に使用されるべき受信チャネルＣＨRX（Ａn）が設定される。さらに、クロックＢにより規定される受信チャネル群ＣＨRX（Ｂ）から、実際に使用されるべき受信チャネルＣＨRX（Ｂn）が設定される。また、クロックＣにより規定される受信チャネル群ＣＨRX（Ｃ）から、実際に使用されるべき受信チャネルＣＨRX（Ｃn）が設定される。さらに、クロックＤにより規定される受信チャネル群ＣＨRX（Ｄ）から、実際に使用されるべき受信チャネルＣＨRX（Ｄn）が設定される。【００４９】
さらに、信号伝送処理部２９４にて、データ制御部２２からの複数の映像データ（伝送信号）が入力され、クロック制御部１２からのクロックＡ、クロックＢ、クロックＣ及びクロックＤに基づいて、４つの映像データを含むデータ信号が生成される。つまり、図８（ｂ）に示す映像データ１にはクロックＡが割り当てられてデータ信号１とされ、映像データ２にはクロックＢが割り当てられてデータ信号２とされ、映像データ３にはクロックＣが割り当てられてデータ信号３とされ、映像データ４にはクロックＤが割り当てられてデータ信号４とされる。【００５０】
そして、データマトリックス２９３にて、データ制御部２２からの複数のデータ信号と、設定された送信チャネルとが対応付けられる。例えば、データ信号１には送信チャネルＣＨTX（Ａn）が対応付けられ、データ信号２には送信チャネルＣＨTX（Ｂn）が対応付けられ、データ信号３には送信チャネルＣＨTX（Ｃn）が対応付けられ、データ信号４には送信チャネルＣＨTX（Ｄn）が対応付けられる（データ信号の生成）。【００５１】
これら送信チャネルに対応付けられた複数のデータ信号が、システムロジック２９２で、波形調整等の処理が行われ、データ分離／多重化部２９１で、多重化され送信信号として生成される。
この生成された送信信号が、映像通信信号として、送信部１３及び無線ＬＡＮ送受信機１４（又は、有線ＬＡＮ送受信コネクタ１５）を介して、インタネット（又は、これに接続された装置）へ送信される。
ここで、送信信号の送信は、図９に示すように、データ信号１からはじまって、データ信号２、データ信号３、データ信号４の順に送信される。
なお、送信信号のデータ伝送幅（通信許容量）は、図１０に示すＹの幅である。【００５２】
（２−２）受信処理
インタネットを介して他の装置から送信されてきた映像通信信号が、無線ＬＡＮ送受信機１４（又は、有線ＬＡＮ送受信コネクタ１５）を介して、受信部１６で受信される。
ここで、映像通信信号は、図９に示すように、データ信号１→データ信号２→データ信号３→データ信号４の順に送受信されるが、データ信号１が到着してからデータ信号４が到着するまでは、データ信号１、２，３が順に記憶手段（図示せず）にチェーン（保持）される。そして、時差的コールドで構成し３０又は６０画像フレームを４枚１組で構成する。【００５３】
次いで、その受信された映像通信信号が受信信号として通信制御部２９のデータ分離／多重化部２９１へ送られる。
データ分離／多重化部２９１にて、受信信号が４つのデータ信号に分離される。この分離された複数のデータ信号が、システムロジック部２９２で歪みが補正され、データマトリックス２９３へ送られる。
データマトリックス２９３にて、４つのデータ信号のそれぞれに対して、クロックＡ、クロックＢ、クロックＣ及びクロックＤのそれぞれにより規定される受信チャネル群ＣＨRX（Ａ）、ＣＨRX（Ｂ）、ＣＨRX（Ｃ）、ＣＨRX（Ｄ）のうちの使用する受信チャネルＣＨRX（Ａn）、ＣＨRX（Ｂn）、ＣＨRX（Ｃn）、ＣＨRX（Ｄn）が対応付けられる。【００５４】
さらに、信号伝送処理部２９４にて、受信チャネルＣＨRX（Ａn）、ＣＨRX（Ｂn）、ＣＨRX（Ｃn）、ＣＨRX（Ｄn）のそれぞれに対応付けられたデータ信号から、クロック制御部１２からのクロックＡ、クロックＢ、クロックＣ及びクロックＤに基づいて、伝送信号（例えば、音声信号など）が分離され、その伝送信号がデータ制御部２５へ供給される。
なお、このとき、音声合成分離部２８にて、音声信号が分離される。【００５５】
データ制御部２２の映像信号生成部２２４にて、伝送信号から映像データが生成される。
そして、図１１に示すように、映像合成部２２５にて、複数の映像データが合成される。この合成された映像データ（映像信号）は、映像記憶部２２１へ送られて記憶される。【００５６】
以上のように、本発明によれば、映像信号を分割し、この分割後の映像データをそれぞれ４つのクロックＡ、Ｂ、Ｃ、Ｄにて規定されるチャネル群から設定された使用するチャネルを用いて同時に送受信できるようになる。４つのクロックにて規定されるチャネル群を利用することから、単一のクロックにて規定されるチャネル群に設定されるチャネルにて信号の送信を行なう従来のＷＥＢチューナに比べてより多くの情報を同時に送受信できるようになる。このため、映像についても多重化通信が可能となるため、映像の高速通信を実現できる。【００５７】
なお、本実施形態のＷＥＢチューナ１ａは、データ信号を圧縮して送受信できる。
例えば、図１２に示すように、各データ信号を、データ伝送幅の２分の１に圧縮する。
そして、データ信号２とデータ信号４を同時に送信し、データ信号１とデータ信号３を同時に送信する。
それらデータ信号１〜４を受信したＷＥＢチューナ１ａでは、図１３に示すように、各データ信号を解凍し、これらを合成して１画面とする。
このような構成により、さらなる高速伝送が可能となる。【００５８】
（３）画像伝送システム
次に、本実施形態のＷＥＢチューナを用いた画像伝送システムの構成について、図２〜図４、図１４を参照して説明する。
ＷＥＢチューナ１ａには、様々な装置を接続することができる。
例えば、図２に示すように、ＷＥＢチューナ１ａのＨＤＭＩ高画質端子１８に、大型モニタ３を接続することができる。また、インタネットを介して無線ＬＡＮ送受信機１４（又は有線ＬＡＮ送受信コネクタ１５）をＩＰ放送局の映像配信装置４に接続することができる（画像伝送システムＡ１）。これにより、映像配信装置４から送信されてきた番組映像（映像通信信号）をＷＥＢチューナ１ａが受信し、これを映像信号として出力し、大型モニタ３がその映像信号を入力し、この映像信号にもとづく映像を表示することができる。
なお、ＩＰ放送（ＷＥＢ放送）は、インタネットを介して放送映像や音声を送受信し、普通のテレビで視聴できるようにしたものをいう。【００５９】
また、図３に示すように、図２の構成に加えて、新たにＷＥＢチューナ（第二のＷＥＢチューナ）１ａを備え、このＷＥＢチューナ１ａの無線ＵＳＢ送受信機２０に、ニュースカメラ（撮影装置）５を接続し、無線ＬＡＮ送受信機１４（又は有線ＬＡＮ送受信コネクタ１５）にインタネットを接続することができる（画像伝送システムＡ２）。
これにより、ニュースカメラ５で撮影された映像が撮影映像信号として第二のＷＥＢチューナ１ａで受信され、その撮影映像信号が映像通信信号として、インタネットを介して映像配信装置４へ送信される。さらに、インタネットを介して映像配信装置４から第一のＷＥＢチューナ１ａへ映像通信信号が送信される。そして、その映像通信信号にもとづく映像信号が、第一のＷＥＢチューナ１ａから大型モニタ３へ送られ、その映像信号にもとづく映像が表示される。
このような処理により、ニュースのライブ映像を、リアルタイムに視聴できる。
なお、画像伝送システムＡ２による映像配信は、無線ＬＡＮ広域システムを用いて実施できる。
無線ＬＡＮ広域システムは、屋外でインタネットに無線通信で接続できる公衆無線ＬＡＮ（構内情報通信網）をいう。【００６０】
さらに、図４に示すように、ＷＥＢチューナ１ａの無線ＵＳＢ送受信機２０に、テレビ会議システムのテレビ会議ユーザシステム６を接続することができる（画像伝送システムＡ３）。
テレビ会議システムは、離れた場所にいる人同士が、インタネット回線を通じて、モニタの画面上で、顔を見ながらコミュニケーションがとれる装置をいう。
そして、テレビ会議システムを構成するテレビ会議管理装置（映像配信装置）７がインタネットに接続されている。【００６１】
ここで、テレビ会議ユーザシステム６は、ユーザを撮影するカメラ装置６１、所定の映像を表示する表示装置６２、ユーザが操作するキーボード６３及びマウス６４、ユーザの音声を取り込むマイク６５、テレビ会議ユーザシステム６で扱う各種信号を管理するユーザ側管理装置６６を備えている。
カメラ装置６１で撮影されたユーザの映像が撮影画像信号としてユーザ側管理装置６６へ送られる。ユーザ側管理装置６６は、マイク６５で取り込まれた音声信号とともに、撮影画像信号をＷＥＢチューナ１ａへ送る。ＷＥＢチューナ１ａは、その撮影画像信号を、インタネットを介してテレビ会議管理装置７へ送信する。テレビ会議管理装置７は、複数のＷＥＢチューナ１ａから受信した撮影画像信号や音声信号を記憶するとともに、各ＷＥＢチューナ１ａへ配信する。ＷＥＢチューナ１ａは、配信されてきた撮影画像信号及び音声信号をユーザ側管理装置６６へ送る。ユーザ側管理装置６６は、撮影画像信号を表示装置６２へ送る。これにより、表示装置６２は、その撮影画像信号にもとづく映像を表示する。また、ユーザ側管理装置６６は、音声信号をスピーカ（図示せず）へ送って音声出力させる。
このような構成により、ＷＥＢチューナ１ａにてクロック制御による映像信号の多重伝送が実行されるため、カメラ装置６１で撮影された映像をリアルタイムに他のテレビ会議ユーザシステム６の表示装置６２に表示させることができる。【００６２】
また、図１４に示すように、大型モニタ３，テレビ会議ユーザシステム６，パーソナルコンピュータ８など、一度に多数の映像処理装置を接続した構成とすることもできる（画像伝送システムＡ４）。
このように、本実施形態のＷＥＢチューナは、多目的に使うことができる。【００６３】
［第二実施形態］
次に、本発明のＷＥＢチューナ、画像伝送システム及び画像伝送方法の第二の実施形態について、図１５を参照して説明する。
同図は、本実施形態のＷＥＢチューナの構成を示すブロック図である。
本実施形態は、第一実施形態と比較して、映像処理装置として撮像装置を接続した点が相違する。すなわち、第一実施形態では、映像処理装置として、大型テレビ，テレビ会議システム，ニュースカメラなどを接続したのに対し、本実施形態では、撮像装置を備えている。他の構成要素は第一実施形態と同様である。
したがって、図１５において、図１と同様の構成部分については同一の符号を付して、その詳細な説明を省略する。【００６４】
図１５に示すように、ＷＥＢチューナ１ｂは、撮像装置３０ａ〜３０ｄと、第一バッハー処理部３１と、第二バッハー処理部３２と、クロック発生装置３３と、画像データ分離処理部３４と、データ処理部３５と、データ混合部３６と、画像シリアルデータ処理部３７とを有している。
ここで、撮像装置３０ａ〜３０ｄは、例えば、ＣＣＤカメラを用いることができる。
ＣＣＤカメラは、ＣＣＤ（Ｃｈａｒｇｅ  ｃｏｕｐｌｅｄ  ｄｅｖｉｃｅ）を用いて被写体を撮影する装置である。ＣＣＤとは、フォトダイオードに蓄積した電荷を、転送ＣＣＤを使ってバケツリレーのように出力回路に転送して読み出す撮像素子をいう。
そして、本実施形態においては、図１５に示すように、ＣＣＤカメラが四台備えられている。各ＣＣＤカメラは、四分割された被写体のそれぞれに割り当てられている。つまり、一つのＣＣＤカメラは、被写体のうち、一つのコーナーセグメントを割り当てられている。【００６５】
第一バッハー処理部３１は、各撮像装置３０ａ〜３０ｄで取り込まれた映像を映像信号としてダイレクト入力し、ストック（保持）する。
第二バッハー処理部３２は、無線ＵＳＢ送受信機２０，有線ＵＳＢ送受信コネクタ２１，ＨＤＭＩ高画質端子１８（映像信号入出力部１７）から入力した信号（映像信号、多重データ）をストックする。
クロック発生装置３３は、第一実施形態の水晶発振器群１１及びクロック制御部１２に相当する（図１参照）。【００６６】
画像データ分離処理部３４は、第一実施形態のデータ制御部２２に相当する（図１参照）。
ただし、画像データ分離処理部３４は、カラー３原色にもとづく分離処理を実行することができる。例えば、第一バッハー処理部３１又は第二バッハー処理部３２から入力した映像信号を、Ｒｅｄ，Ｇｒｅｅｎ，Ｂｌｕｅ，Ｂｌａｃｋに分離する。
ここで、分離する色を光の３原色（Ｒ，Ｇ，Ｂ）にしたのは、光の３原色を混色することで他の色（中間色）を作り出すことができるためである。また、光の３原色は、すべてを混色すると白（Ｗｈｉｔｅ）になるため、明度を調整するためにＢｌａｃｋを加える。
このように、映像信号をカラー３原色で分離し伝送することで、クロスカラーがなく画質劣化の少ない高画質の映像が得られる。【００６７】
データ処理部３５，データ混合部３６は、それぞれ第一実施形態の通信制御部２９，送信部１３に相当する（図１参照）。
画像シリアルデータ処理部３７は、第一実施形態の無線ＬＡＮ送受信機１４又は有線ＬＡＮ送受信コネクタ１５に相当する。【００６８】
なお、第二実施形態は、第一実施形態と比較して、映像処理装置が撮像装置である点と、光の３原色にもとづいて分離する点で相違する。このため、画像伝送方法においては、映像データの分離を光の３原色にもとづいて行う点以外は、第一実施形態における画像伝送方法と同様である。【００６９】
以上説明したように、本実施形態のＷＥＢチューナ、画像伝送システム及び画像伝送方法によれば、映像信号を分割し、この分割後の映像データをそれぞれ複数のクロックにもとづいて多重化通信することができる。これにより、映像の高速通信を実現でき、リアル画像でのライブ配信が可能となる。【００７０】
以上、本発明のＷＥＢチューナ、画像伝送システム及び画像伝送方法の好ましい実施形態について説明したが、本発明に係るＷＥＢチューナ、画像伝送システム及び画像伝送方法は上述した実施形態にのみ限定されるものではなく、本発明の範囲で種々の変更実施が可能であることは言うまでもない。
例えば、上述した第二実施形態では、映像処理装置として撮像装置を接続した構成としたが、これに限るものではなく、例えば、図１７に示すように、第一バッハー処理部３１に、カラーテレビカメラ、映像記録装置（ＶＴＲ、ＤＶＤ等）、その他の映像機器を接続することもでき、さらに、その他の多重データを入力するようにすることもできる。
【産業上の利用可能性】
【００７１】
本発明は、映像信号の分離処理に関する発明であるため、映像信号を扱う装置に利用可能である。
【図１】
2009034608.tif 000003
【図２】
2009034608.tif 000004
【図３】
2009034608.tif 000005
【図５】
2009034608.tif 000006
【図６】
2009034608.tif 000007
【図７】
2009034608.tif 000008
【図８】
2009034608.tif 000009
【図９】
2009034608.tif 000010
【図１０】
2009034608.tif 000011
【図１１】
2009034608.tif 000012
【図１２】
2009034608.tif 000013
【図１３】
2009034608.tif 000014
【図１４】
2009034608.tif 000015
【図１５】
2009034608.tif 000016
【図１６】
2009034608.tif 000017
【図１７】
2009034608.tif 000018
【図４】
2009034608.tif 000019
【国際調査報告】
2009034608.tif 000020
2009034608.tif 000021